(57)【要約】【課題】簡易な方法でパルス配管の脱着が可能なパルス配管固定用治具及びこれを用いたバグフィルター式集塵装置を提供すること。【解決手段】本発明のバグフィルター式集塵装置は、複数のパルス配管２１が壁面間に配設されるバグフィルター式集塵装置であって、壁面に立設し、パルス配管２１の端部に形成される平板状耳部２２を支持する支持台４と、平板状耳部２２を押圧する押さえ部材５と、支持台４と押さえ部材５とを挟持する治具３とを備える。治具３は、ボルト部３１と、ボルト部３１と螺合されるナット部３２と、ナット部３２に連結され、略Ｌ字状に形成されるＬ字状部３３とを有する。【選択図】図４
2018079415.tif 000002
【特許請求の範囲】
【請求項１】
バグフィルター式集塵装置のパルス配管を、該集塵装置の壁面に固定する治具であって、
ボルト部と、
前記ボルト部と螺合されるナット部と、
前記ナット部に連結され、略Ｌ字状に形成されるＬ字状部と、を有する
パルス配管固定用治具。
【請求項２】
前記バグフィルター式集塵装置は、
前記壁面に立設され前記パルス配管の端部に形成される平板状耳部を支持する支持台と、前記支持台と相対して設けられ前記平板状耳部を押さえる押さえ部材と、を備え、
当該パルス配管固定用治具は、
前記ボルト部と、前記Ｌ字状部とにより、前記バグフィルター式集塵装置の前記支持台と前記押さえ部材とを挟持するように用いられる
請求項１に記載のパルス配管固定用冶具。
【請求項３】
前記Ｌ字状部は、２枚の平板で構成され、
前記ナット部と連結される平板は、該ナット部に向けて幅が小さくなるようにテーパー状に形成される
請求項１に又は２に記載のパルス配管固定用治具。
【請求項４】
複数のパルス配管が壁面間に配設されるバグフィルター式集塵装置であって、
前記壁面に立設し、前記パルス配管の端部に形成される平板状耳部を支持する支持台と、
前記平板状耳部を押圧する押さえ部材と、
前記支持台と前記押さえ部材とを挟持する治具と、を備え、
前記治具は、
ボルト部と、
前記ボルト部と螺合されるナット部と、
前記ナット部に連結され、略Ｌ字状に形成されるＬ字状部と、を有し、
前記支持台と前記押さえ部材とにより支持される前記パルス配管は、前記治具のボルト部と前記Ｌ字状部とにより該支持台と該押さえ部材とが挟持されることで固定される
バグフィルター式集塵装置。
【請求項５】
前記治具は、前記パルス配管間にそれぞれ配設される
請求項４に記載のバグフィルター式集塵装置。
【請求項６】
前記Ｌ字状部は、２枚の平板で構成され、
前記ナット部と連結される平板は、該ナット部に向けて幅が小さくなるようにテーパー状に形成される
請求項４又は５に記載のバグフィルター式集塵装置。
【請求項７】
前記押さえ部材には、前記ボルト部の先端が挿入される凹部が形成される
請求項４乃至６のいずれか１項に記載のバグフィルター式集塵装置。
【請求項８】
前記押さえ部材は、前記支持台に形成された位置決め用孔に挿入される位置決め用突起部を有する
請求項４乃至７のいずれか１項に記載のバグフィルター式集塵装置。
【発明の詳細な説明】
【技術分野】
【０００１】
本発明は、パルス配管工程用治具、及びその治具を用いたバグフィルター式集塵装置に関する。
【背景技術】
【０００２】
従来、粉体を扱う産業では、製造した粉体を捕集したり、被処理ガス中に含まれる粉塵等の粉体を回収したりするために、バグフィルターを使用した集塵装置が使用されている。バグフィルターは、複数本の微細な目の開いた濾布を有しており、粉体を含む被処理ガスが通過することによって、濾布の目よりも小さい粉体を濾布上に濾過捕集する。
【０００３】
濾布上に付着、堆積した粉体は、定期的に払い落とす必要がある。そのため、例えば、濾布の上部に取り付けられたパルス配管により圧縮ガス（パルスエアー）を噴射することで、濾布の表面に堆積した粉体を払い落している。また、濾布の濾過精度が落ちて寿命がくると、パルス配管を取り外して濾布を交換するのが一般的である。
【０００４】
ところで、特許文献１には、パルス配管を集塵装置の壁面に固定する方法として、パルス配管の端部をボルト締めすることにより、パルス配管を脱着可能とする方法が提案されている。
【０００５】
しかしながら、特許文献１に記載されるパルス配管の固定方法では、ボルト部がパルス配管の直下にあるため、スペースが狭く、取り付けや取り外しの作業性が悪い。また、ボルト締めされた部分に粉体が付着し固化すると、ボルト部が回らなくなり、パルス配管の取り外しが不可能となる。そのような場合には、ボルト部をネジ切って処置してもよいが、スペースが狭く効率的な作業が困難である。また、ガス溶断によりボルト部を切断しようとしても、濾布を焼損させてしまうおそれがある。
【先行技術文献】
【特許文献】
【０００６】
【特許文献１】特許４４１５３２１号公報
【発明の概要】
【発明が解決しようとする課題】
【０００７】
本発明は、このような実情に鑑みて提案されたものであり、簡易な方法でパルス配管の脱着が可能なパルス配管固定用治具、及びその治具を用いたバグフィルター式集塵装置を提供することを目的とする。
【課題を解決するための手段】
【０００８】
本発明者は、上述した課題を解決するために鋭意検討を重ねた。その結果、ボルト部と、ボルト部と螺合されるナット部と、ナット部に連結され略Ｌ字状に形成されるＬ字状部とを有する、いわゆるクランプ状の治具を用いることにより、簡易な方法でパルス配管の脱着が可能となることを見出し、本発明を完成するに至った。
【０００９】
（１）本発明の第１の発明は、バグフィルター式集塵装置のパルス配管を、該集塵装置の壁面に固定する治具であって、ボルト部と、前記ボルト部と螺合されるナット部と、前記ナット部に連結され、略Ｌ字状に形成されるＬ字状部と、を有する、パルス配管固定用治具である。
【００１０】
（２）本発明の第２の発明は、第１の発明において、前記バグフィルター式集塵装置は、前記壁面に立設され前記パルス配管の端部に形成される平板状耳部を支持する支持台と、前記支持台と相対して設けられ前記平板状耳部を押さえる押さえ部材と、を備え、当該パルス配管固定用治具は、前記ボルト部と、前記Ｌ字状部とにより、前記バグフィルター式集塵装置の前記支持台と前記押さえ部材とを挟持するように用いられる、パルス配管固定用冶具である。
【００１１】
（３）本発明の第２の発明は、第１又は第２の発明において、前記Ｌ字状部は、２枚の平板で構成され、前記ナット部と連結される平板は、該ナット部に向けて幅が小さくなるようにテーパー状に形成される、パルス配管固定用治具である。
【００１２】
（４）本発明の第４の発明は、複数のパルス配管が壁面間に配設されるバグフィルター式集塵装置であって、前記壁面に立設し、前記パルス配管の端部に形成される平板状耳部を支持する支持台と、前記平板状耳部を押圧する押さえ部材と、前記支持台と前記押さえ部材とを挟持する治具とを備え、前記治具は、ボルト部と、前記ボルト部と螺合されるナット部と、前記ナット部に連結され、略Ｌ字状に形成されるＬ字状部とを有し、前記支持台と前記押さえ部材とにより支持される前記パルス配管は、前記治具のボルト部と前記Ｌ字状部とにより該支持台と該押さえ部材とが挟持されることで固定される、バグフィルター式集塵装置である。
【００１３】
（５）本発明の第５の発明は、第４の発明において、前記治具は、前記パルス配管間にそれぞれ配設される、バグフィルター式集塵装置である。
【００１４】
（６）本発明の第６の発明は、第４又は第５の発明において、前記Ｌ字状部は、２枚の平板で構成され、前記ナット部と連結される平板は、該ナット部に向けて幅が小さくなるようにテーパー状に形成される、バグフィルター式集塵装置である。
【００１５】
（７）本発明の第７の発明は、第４乃至第６のいずれかの発明において、前記押さえ部材には、前記ボルト部の先端が挿入される凹部が形成される、バグフィルター式集塵装置である。
【００１６】
（８）本発明の第８の発明は、第４乃至第７のいずれかの発明において、前記押さえ部材は、前記支持台に形成された位置決め用孔に挿入される位置決め用突起部を有する、バグフィルター式集塵装置である。
【発明の効果】
【００１７】
本発明によれば、簡易な方法でパルス配管の脱着が可能なパルス配管固定用治具及びこれを用いたバグフィルター式集塵装置を提供することができる。
【図面の簡単な説明】
【００１８】
【図１】バグフィルター式集塵装置の概略構成を示す斜視図である。
【図２】バグフィルター式集塵装置のパルス配管が配置される箇所の構成を示す斜視図である。
【図３】バグフィルター式集塵装置のパルス配管が配置される箇所の構成を示す要部拡大斜視図である。
【図４】バグフィルター式集塵装置壁面に固定されるパルス配管の端部の様子を説明するための分解斜視図である。
【図５】バグフィルター式集塵装置の壁面に固定されるパルス配管の端部の様子を説明するための平面図である。
【図６】図５中のＡ−Ａ線断面図であり、パルス配管の耳部をバグフィルター式集塵装置における支持台と押さえ部材と固定により
【図７】図７（Ａ）は、治具をパルス配管側から見た場合の構成を示す斜視図であり、（Ｂ）は、治具を壁面側から見た場合の構成を示す斜視図である。
【図８】図５中のＢ−Ｂ線断面図であり、治具により、バグフィルター式集塵装置における支持台と押さえ部材とを挟持して固定したときの状態を示す図である。
【発明を実施するための形態】
【００１９】
以下、本発明の具体的な実施形態（以下、「本実施の形態」という）について、図面を参照しながら詳細に説明する。なお、本発明は以下の実施形態に限定されるものではなく、本発明の要旨を変更しない範囲で種々の変更が可能である。
【００２０】
≪１．バグフィルター式集塵装置≫
はじめに、本実施の形態に係るバグフィルター式集塵装置の構成について説明する。図１は、本実施の形態に係るバグフィルター式集塵装置の概略構成を示す斜視図である。
【００２１】
図１に示すように、バグフィルター式集塵装置１００は、ケーシング１が仕切り板２によって、フィルタ部１０と、払い落とし部２０とに仕切られている。また、フィルタ部１０の下部には、下方に行くにしたがって徐々に口径が小さくなる集塵部１２が設けられている。
【００２２】
［フィルタ部］
フィルタ部１０には、濾布１１が縦横に複数配列された状態で収容されている。濾布１１は、通常筒状に形成されており、上部が開口した状態で仕切り板２に形成された開口部２ａによってそれぞれ保持されている。
【００２３】
フィルタ部１０には、粉体を含む被処理ガスが図示しない導入口から導入され、導入された粉体が濾布１１の外表面で捕集される。濾布１１を通過した被処理ガスは、清浄ガスとなって、図示しない排気口から外部へ排出されるようになっている。なお、簡略化のため、図１では、濾布１１が縦列６本×横１６本で配列されている構成を示しているが、その濾布１１の数は特に限定されるものではなく、例えば、縦１５〜２０本×横４０〜５０本程度とすることもできる。本明細書中では、ケーシング１の短辺方向を「縦方向」とし、長辺方向を「横方向」とする。
【００２４】
［払い落とし部］
図２は、バグフィルター式集塵装置１００のパルス配管２１が配置される払い落とし部２０の構成を示す斜視図である。図２に示すように、払い落とし部２０には、濾布１１の配列方向（縦方向）に沿って複数のパルス配管２１がケーシング１の壁面１ａに脱着可能な状態で固定されて収容されている。パルス配管２１は、ケーシング１の短辺と略同等の長さを有する略円筒状に形成され、仕切り板２の開口部に対向する位置に、開口部２ａに向けて開口するノズル２１ａがそれぞれ設けられている。また、このパルス配管２１は、一端部（図２中手前側端部）が、後述する治具３によって固定されるとともに、他端部（図２中奥方端部）は、壁面１ａを貫通してケーシング１の外に配設された図示しないガス噴射装置に連結されている。
【００２５】
パルス配管２１に連結されるガス噴射装置は、パルス配管２１内に、窒素ガスや空気等の圧縮ガス（パルスエアー）を噴射する。パルス配管２１に供給された圧縮ガスは、ノズル２１ａを介して濾布１１内に導入されるようになっている。
【００２６】
上記構成の払い落とし部２０を備えるバグフィルター式集塵装置１００においては、所定のタイミングで、ガス噴射装置が稼働し、各パルス配管２１内に圧縮ガスが噴射され、各ノズル２１ａから圧縮ガスが濾布１１内に導入される。これにより、濾布１１に堆積した粉体が圧縮ガスにより払い落とされ、集塵部１２に回収される。
【００２７】
［集塵部］
集塵部１２は、濾布１１から払い落とされた紛体を回収し、その底部に設けられた排出口から外部に排出する（図１参照）。なお、集塵部１２の排出口は、フィルタ部１０への被処理ガス導入時には閉口しており、粉体を払い落とす際には開口していることが好ましい。
【００２８】
≪２．パルス配管の固定≫
次に、パルス配管２１の固定について説明する。図３は、払い落とし部２０の要部を拡大した斜視図である。図３に示すように、パルス配管２１は、その一端部がケーシング１の壁面１ａに、パルス配管固定用治具（以下、単に「治具」という）３によって脱着可能に固定されている。
【００２９】
図４は、バグフィルター式集塵装置１００の壁面に固定されるパルス配管の端部の様子を説明するための分解斜視図である。図５は、バグフィルター式集塵装置１００の壁面１ａに固定されるパルス配管２１の端部の様子を説明するための平面図である。
【００３０】
図４及び図５に示すように、バグフィルター式集塵装置１００のケーシング１の壁面１ａには、壁面１ａに対して直交する方向に、すなわち水平方向に立設され、パルス配管２１の一端部である平板状耳部２２を支持する支持台４が形成されている。また、バグフィルター式集塵装置１００には、支持台４に相対してパルス配管２１の一端部である平板状耳部２２を押さえる、略Ｌ字状に形成される押さえ部材５が設けられている。また、パルス配管固定用治具（以下、単に「治具」という）３が、連続して複数設けられる隣り合うパルス配管２１の間にそれぞれ設置され、支持台４と押さえ部材５とを挟持するように用いられている。
【００３１】
以下、パルス配管の耳部２２、支持台４、押さえ部材５について詳細に説明する。図６（Ａ）は、図５中のＡ−Ａ線断面図である。
【００３２】
［パルス配管の耳部］
はじめに、パルス配管の平板状耳部２２（以下、単に「耳部２２」ともいう）について説明する。パルス配管２１の耳部２２は、図４及び図６に示すように、ケーシング１の壁面１ａに固定されるパルス配管２１の一端側に、略Ｌ字状に形成される部材である。
【００３３】
具体的に、パルス配管２１の耳部２２は、パルス配管２１の開口部を閉塞するように、壁面１ａに対して略平行に形成される閉塞板２２ａと、閉塞板２２ａに対して壁面１ａに向かって直交する方向に立設する受け部２２ｂとから構成される。なお、後述するように、受け部２２ｂには、パルス配管２１を支持台４上に設置する際に、設置位置を示すための位置決め用孔２２ｃが設けられている。
【００３４】
［支持台］
支持台４は、図６に示すように、ケーシング１の壁面１ａに立設され、パルス配管２１の端部に形成される耳部２２（受け部２２ｂ）を支持する。支持台４の上に、受け部２２ｂが載置されることから、この支持台４の幅（縦方向長さ）は、安定性及び作業性の点から、パルス配管２１の受け部２２ｂの幅（縦方向長さ）以上に形成されることが好ましい。なお、後述するように、支持台４上には、パルス配管２１を支持台４上に設置する際に、設置位置を示すための位置決め用孔４ａが設けられている。
【００３５】
［押さえ部材］
押さえ部材５は、図４及び図６に示すように、パルス配管２１の受け部２２ｂに当接するように略平板状に形成される第１平板部５ａと、第１平板部５ａから垂直方向に立ち上がる第２平板部５ｂとから構成されて、略Ｌ字状に形成される。押さえ部材５のうち、第１平板部５ａがパルス配管２１の耳部２２（受け部２２ｂ）を上方から押さえる。つまり、パルス配管２１の耳部２２（受け部２２ｂ）は、支持台４と押さえ部材５とにより挟持されることになる。
【００３６】
なお、押さえ部材５の支持台４に対向する第１平板部５ａには、位置決め用孔４ａ、２２ｃに挿入される位置決め用突起部５ｃが設けられている。後述するように、押さえ部材５の位置決め用突起部５ｃを支持台４に設けられた位置決め用孔４ａ、パルス配管２１の耳部２２に設けられた位置決め用孔２２ｃに挿入することにより、押さえ部材５を適正な位置に設置できるとともに、パルス配管２１の横方向及び縦方向への位置の変動を防止することができる。
【００３７】
具体的に、押さえ部材５の第１平板部５ａの幅は、図６に示すように、安定性及び作業性の点から、支持台４の幅（縦方向長さ）以下、パルス配管２１の受け部２２ｂの幅（縦方向長さ）以上に形成されることが好ましい。また、押さえ部材５は、パルス配管２１毎に個別に設置されてもよいが、複数のパルス配管２１を一体に押さえるように、ケーシング１の横方向全域にわたって形成されることが好ましく、支持台４と押さえ部材５とは同じ長さ（横方向長さ）を有してよい。例えば、押さえ部材５の長さは、５〜１０ｍ程度に形成される。
【００３８】
なお、必須の態様ではないが、図４に示すように、押さえ部材５の第１平板部５ａ上には、治具３を設置する位置に、後述する治具３のボルト部３１の先端が挿入される凹部５ｄが形成されていることが好ましい。凹部５ｄは、押さえ部材５に埋設されていても突設されていてもよいが、押さえ部材５の強度の点から突設されていることが好ましい。後述するように、作業者は、凹部５ｄにより治具３の設置位置を認識しやすく、また凹部５ｄにボルト部３１の先端を挿入することにより、治具３の取り付けが容易となる。治具３の設置位置は、特に制限されないが、隣り合うパルス配管２１の間にそれぞれ配設されることが好ましく、治具３の設置間隔は均等であることが好ましい。
【００３９】
≪３．パルス配管用固定治具≫
図７（Ａ）は、治具３をパルス配管２１側から見た場合の構成を示す斜視図であり、（Ｂ）は、治具３を壁面１ａ側から見た場合の構成を示す斜視図である。図８は、図５中のＢ−Ｂ線断面図である。
【００４０】
治具３は、図７（Ａ）、（Ｂ）に示すように、ボルト部３１と、ボルト部３１と螺合されるナット部３２と、ナット部３２に連結され、略Ｌ字状に形成されるＬ字状部３３とを有する。また、Ｌ字状部３３は、支持台４と当接するように略矩形状に形成される第１平板部３３ａと、第１平板部３３ａから垂直方向に立ち上がり略矩形状に形成される第２平板部３３ｂとを有する。
【００４１】
このように構成される治具３は、図８に示すように、ボルト部３１とＬ字状部３３とにより、支持台４と押さえ部材５とを挟持する。これにより、治具３は、支持台４と押さえ部材５とに挟持されるパルス配管２１の耳部２２の位置を固定する。
【００４２】
上述したような構成の治具３によれば、パルス配管２１の耳部２２（受け部２２ｂ）を支持台４と押さえ部材５との間に挟持した状態で固定することから、パルス配管２１内に圧縮空気を供給して濾布１１に付着、堆積した粉体の払い落とす際にも、パルス配管２１が浮き上がることがなく安定的に固定される。そして、この治具３は、パルス配管２１の耳部２２と支持台４とを、ボルト等の治具で直接固定するものではないため、パルス配管２１の直下やパルス配管２１の端部と壁面１ａとの間の狭い空間での作業を要しない。したがって、濾布１１の交換時等においても、パルス配管２１の脱着が簡易であり、作業性が向上する。
【００４３】
例えば、パルス配管２１の直下でパルス配管２１の耳部２２を壁面１ａにボルト締めする場合には、パルス配管２１を取り外すのに１時間程の作業時間を要したのに対し、本実施の形態の治具３を用いる態様によれば、パルス配管２１を取り外すのに２０分〜３０分以下程度の作業時間で済む。
【００４４】
また、Ｌ字状部３３は、図７（Ａ）、（Ｂ）に示すように、第２平板部３３ｂからナット部３２の方向に屈曲され、ナット部３２に向けて幅（横方向長さ）が小さくなるようにテーパー状に形成された状態でナット部３２と連結される屈曲部３３ｃを有することが好ましい。なお、ナット部３２と屈曲部３３ｃとは、作業性の点から、溶接により接合することが好ましい。
【００４５】
このような構成の治具３によれば、テーパー状に形成された屈曲部３３ｃを有することから、粉体がボルト部３１に固着し、ボルト部３１を回せないといった不具合が生じた場合であっても、ボルト部３１の頭をペンチ等の工具で挟み左右に振る等することで、ボルト部３１と屈曲部３３ｃとの連結部が破壊されやすく、容易に治具３、パルス配管２１の取り外しが容易である。したがって、ボルト部３１が粉体によって固着した場合であっても、ガス溶断等の必要がなく、濾布１１を焼損させることもない。
【００４６】
≪４．パルス配管の脱着方法≫
以下、上述した構成の治具３を用いたパルス配管２１の脱着方法について、図４を参照しながら改めて説明する。
【００４７】
まず、パルス配管２１をケーシング１の壁面１ａに固定する際には、壁面１ａに立設された支持台４上に、パルス配管２１の耳部２２（受け部２２ｂ）を載置する。載置するに際しては、支持台４に形成された位置決め用孔４ａと、受け部２２ｂに形成された位置決め用孔２２ｃとを一致させるようにして載置する。そして、パルス配管２１が載置された支持台４上に、押さえ部材５を載置する。このとき、押さえ部材５に形成された位置決め用突起部５ｃを、位置決め用孔４ａ、２２ｃに挿入させる。これにより、支持台４上に、パルス配管２１の耳部２２と押さえ板５とを適正な位置で配置することができ、各部材の横方向及び縦方向への位置の変動を防止することができる。
【００４８】
次いで、治具３を用いてパルス配管を固定する。具体的には、押さえ部材５の凹部５ｄが突設されている位置において、そのボルト部３１の先端を押さえ部材５に設けられた凹部５ｄに挿入させることによって、治具３を取り付ける。そして、治具３を構成するボルト部３１を回転させることにより、ボルト部３１の先端とＬ字状部３３（第１平板部３３ａ）との間隙を狭めるようにし、ボルト部３１の先端とＬ字状部３３との間に支持台４と押さえ部材５（第１平板部５ａ）とを強く挟持し、パルス配管２１の耳部２２を固定する。これにより、パルス配管２１がパルス配管２１内に圧縮空気を供給する濾布１１の粉体の払い落とし時においても、パルス配管２１は浮き上がることがなく固定される。
【００４９】
一方、パルス配管２１をケーシング１から取り外す際には、ボルト部３１を回してボルト部３１とＬ字状部３３（第１平板部３３ａ）との間隙を広めることで、容易に治具３を取り外すことができる。そして、押さえ部材５を取り外すことで、支持台４上からパルス配管２１を取り外すことができる。このとき、上述したように、治具３は、パルス配管２１の耳部２２を直接ボルト締めする場合に比べ、作業しやすい空間に設置して固定することができるため、作業が簡易である。
【００５０】
しかしながら、治具３のボルト部３１に粉体が固着し、ボルト部３１が回転しない場合がある。そのような場合であっても、ボルト部３１の頭をペンチ等の工具で挟み左右に振ることで、ボルト部３１と屈曲部３３ｃとの連結部を容易に破壊することができ、治具３やパルス配管２１の取り外しを簡易に行うことができる。このように、ボルト部３１が粉体によって固着した場合であっても、ガス溶断等の特別な作業を要することなく、またガス溶断等により引き起こされ得る濾布１１の焼損等も防止することができる。
【００５１】
なお、パルス配管２１の他端部は、ケーシング１の壁面１ａを貫通し、ガス噴射装置に接続されている。そのため、パルス配管２１の他端部は、壁面１ａに固定された管状部品に対して抜き差し可能に構成するとよい。これにより、例えば、パルス配管２１をケーシング１から取り外す際には、パルス配管２１の一端部側で治具３を取り外してパルス配管２１を一方の壁面１ａから取り外した後、パルス配管２１の他端部側でパルス配管２１を他方の壁面１ａから引き抜くとよい。
【符号の説明】
【００５２】
１    ケーシング
１ａ  壁面
２    仕切り板
３    治具
４    支持台
４ａ  位置決め用孔
５    押さえ部材
５ａ  第１平板部
５ｂ  第２平板部
５ｃ  位置決め用突起部
１０    フィルタ部
１１    濾布
１２    集塵部
２０    払い落とし部
２１    パルス配管
２１ａ  ノズル
２２    耳部
２２ａ  閉塞板
２２ｂ  受け台
３１    ボルト部
３２    ナット部
３３    Ｌ字状部
３３ａ  第１平板部
３３ｂ  第２平板部
３３ｃ  屈曲部
【図１】
2018079415.tif 000003
【図２】
2018079415.tif 000004
【図３】
2018079415.tif 000005
【図４】
2018079415.tif 000006
【図５】
2018079415.tif 000007
【図６】
2018079415.tif 000008
【図７】
2018079415.tif 000009
【図８】
2018079415.tif 000010